(57)【特許請求の範囲】
【請求項１】
針及び布押えを含み縫いを構成する部品からなる縫製部よりも縫製進行方向の手前部に、帯状布の左右両縁部を切断して所定仕上がり幅の帯状布を作製するメス機構と、作製された帯状布の上記縫製部への送り込みを案内するガイドと、帯状布をガイドの上面に弾性的に押圧する補助押えとが具備されている二重環縫い帯状縫製物作りミシンにおいて、
上記補助押えは、固定ブラケットに回転可能に支承されたシャフトの縫製進行方向と直交する方向の軸心周りの正逆回転に伴い、上記ガイド上面に帯状布を弾性的に押圧する押え作用状態とガイド上面から上方に持上げ離間された非押え作用状態とに切換え可能に構成されていると共に、
上記シャフトの端部には、該シャフトをその軸心周りに回転操作するレバーがシャフト軸心に対して直交する軸心の周りで起立傾倒可能に枢支されており、
かつ、上記固定ブラケットには、起立姿勢のままで補助押えが非押え作用状態に切換えられるまでシャフトを回転操作したレバーを起立姿勢から傾倒させたとき、該レバーの一部に係合して補助押えを非押え作用状態に固定保持可能な被係合部が設けられていることを特徴とする二重環縫い帯状縫製物作りミシンにおける補助押え装置。
【請求項２】
上記固定ブラケットにおける被係合部は、傾倒されたレバーの一部が嵌入し係合する細幅溝である請求項１に記載の二重環縫い帯状縫製物作りミシンにおける補助押え装置。
【請求項３】
上記シャフトと固定ブラケットとの間には、補助押えを押え作用状態に付勢するバネが介在されている請求項１または２に記載の二重環縫い帯状縫製物作りミシンにおける補助押え装置。
【請求項４】
縫製対象とする帯状縫製物が、ベルトループである請求項１ないし３のいずれかに記載の二重環縫い帯状縫製物作りミシンにおける補助押え装置。
【発明の詳細な説明】
【０００１】
【発明の属する技術分野】
本発明は、主としてベルトループの縫製に用いられる二重環縫い帯状縫製物作りミシンにおける補助押え装置に関する。詳しくは、針及び布押え、ルーパなど縫いを構成する部品からなる縫製部よりも縫製進行方向の手前部に、帯状布の左右両縁部を切断して所定仕上がり幅の帯状布を作製するメス機構と、その帯状布の上記縫製部への送り込みを案内するガイドと、帯状布をガイドの上面に弾性的に押圧する補助押えとが具備されている二重環縫い帯状縫製物作りミシンにおける補助押え装置に関するものである。
【０００２】
【従来の技術】
この種の二重環縫いミシンが縫製対象とする帯状縫製物の代表例としては、図９に示すように、ズボンＪのウェスト部Ｗ周りにベルトを通すために適当な間隔を置いてループ状に縫い付けられるベルトループＢＬが挙げられる。このベルトループＢＬは、図１０に示すように、メス機構により所定幅に切断された帯状布Ｃの幅方向両端部分を下側に折り込み、その両端折込み部を針糸ｎｙとルーパ糸ｌｙとで縫い付けることにより製品化されるものである。
【０００３】
ところで、上述したベルトループＢＬのような帯状縫製物を所定の仕上がり幅に切断するためのメス機構は、所定の縫いを形成する針及び布押え等からなる縫製部よりも縫製進行方向の手前部に設置して用いられることから、一般に前メスと呼ばれている。この前メス（メス機構）を備えた二重環縫い帯状縫製物作りミシンでは、前メスによる帯状布の切断及び切断後の帯状布の縫製部への送り込み案内を確実かつ安定良く行なうために、帯状布をガイドの上面に弾性的に押圧する補助押えが設けられている。この補助押えは縫製部における布押えと同様に、帯状布をセットする際、ガイド上面よりも上方に持上げ離間された非押え作用状態に切換え可能に構成されていることが必要である。
【０００４】
従来の二重環縫い帯状縫製物作りミシンにおいては、図１１に示すように、補助押え足５０を支持する支持部材５１と縫製部５２における布押え５３の押え棒５４とがロッド５７を介して固定連結されており、帯状布をセットする際の膝レバー（周知であるため、図示省略する）の操作に伴い布押え５３を針板５５の上面から上方に離間させるように押え棒５４が駆動上昇するとき、連結ロッド５７を介して補助押え足５０が一体連動してガイド５６の上面から上方に持上げ離間されて非押え作用状態に切換えられ、また、布セット後に布押え５３が駆動下降するとき、連結ロッド５７を介して補助押え足５０が一体連動してガイド５６の上面に弾性的に接触する位置にまで下降されて押え作用状態に復帰するように構成されていた。
【０００５】
【発明が解決しようとする課題】
上記した構成の従来の二重環縫い帯状縫製物作りミシンにおける補助押え装置においては、縫製作業時に布押え５３側に発生する振動が連結ロッド５７を通じて補助押え足５０側に伝達される。特に、布押え５３と補助押え足５０とを連結するロッド５７はスパンの大きい片持ち梁状のものであるために、布押え５３側の振動が増幅されて補助押え足５０側に伝達されて補助押え足５０が大きな振幅で振動することになり、押え機能が損なわれるばかりでなく、ガイド５６の上面を激しく叩いて不快な騒音を発生する。また、連結ロッド５７がガイド５６の上方に位置して視界を遮るために、帯状布の送り込み状況や縫製部の縫製状況を視認しにくいという問題もあった。
【０００６】
本発明は上記実情に鑑みてなされたもので、布セット時には非押え作用状態に簡単に切換えれるものでありながら、布押えの振動が伝達されることに起因する機能低下や騒音発生等の不具合を防止でき、しかも、縫製状況等を容易に視認することができる二重環縫い帯状縫製物作りミシンにおける補助押え装置を提供することを目的としている。
【０００７】
【課題を解決するための手段】
上記の目的を達成するために、本発明に係る二重環縫い帯状縫製物作りミシンにおける補助押え装置は、針及び布押えを含み縫いを構成する部品からなる縫製部よりも縫製進行方向の手前部に、帯状布の左右両縁部を切断して所定仕上がり幅の帯状布を作製するメス機構と、作製された帯状布の上記縫製部への送り込みを案内するガイドと、帯状布をガイドの上面に弾性的に押圧する補助押えとが具備されている二重環縫い帯状縫製物作りミシンにおいて、
上記補助押えは、固定ブラケットに回転可能に支承されたシャフトの縫製進行方向と直交する方向の軸心周りの正逆回転に伴い、上記ガイド上面に帯状布を弾性的に押圧する押え作用状態とガイド上面から上方に持上げ離間された非押え作用状態とに切換え可能に構成されていると共に、上記シャフトの端部には、該シャフトをその軸心周りに回転操作するレバーがシャフト軸心に対して直交する軸心の周りで起立傾倒可能に枢支されており、かつ、上記固定ブラケットには、起立姿勢のままで補助押えが非押え作用状態に切換えられるまでシャフトを回転操作したレバーを起立姿勢から傾倒させたとき、該レバーの一部に係合して補助押えを非押え作用状態に固定保持可能な被係合部が設けられていることを特徴とするものである。
【０００８】
上記構成の本発明によれば、縫製部における布押えとは独立して補助押えが設けられているために、縫製作業時に布押え側で発生する振動が補助押え側に伝達されることがなく、この補助押えによる本来の押え機能を所定通りに発揮させるとともに、騒音の発生を防止することが可能である。また、帯状布のセット時には、起立姿勢にあるレバーを掴んでシャフトを回転操作し、それに続いてレバーを起立姿勢から傾倒させて固定ブラケットの被係合部に係合させるという簡単な手動操作を行なうだけで、補助押えをガイド上面から上方に持上げ離間された非押え作用状態に切換えるとともに、その非押え作用状態を固定保持させることが可能である。
【０００９】
上記構成の本発明に係る二重環縫い帯状縫製物作りミシンにおける補助押え装置において、上記固定ブラケットにおける被係合部としては、突起等のように、傾倒レバーの一部が係合する突出物を固定ブラケットに設けてもよいが、特に、請求項２に記載のように、傾倒されたレバーの一部が嵌入し係合する細幅溝を固定ブラケットに形成する構成を採用することによって、振動等が加わる条件下での使用に際しても、係合力を強めて補助押えを非押え作用状態に一層確実に固定保持することができるとともに、加工も簡単で、かつ、破損等もしにくく、耐久性に優れている。
【００１０】
また、上記構成の本発明に係る二重環縫い帯状縫製物作りミシンにおける補助押え装置において、請求項３に記載のように、上記シャフトと固定ブラケットとの間に、補助押えを押え作用状態に付勢するバネを介在させることにより、上記レバーを被係合部から離脱させるべく起立姿勢に切換えるだけで、補助押えをバネの力によって自動的に押え作用状態に復帰させることが可能であり、手動による補助押えの切換え操作を一層簡単なものにすることができる。
【００１１】
なお、本発明は、最小８ｍｍ前後から最大２０ｍｍ前後までの多種多様な仕上がり幅が要求されるベルトループの作製に最も有効に適用可能であるが、ベルトループ以外の、例えば衣服補強布や衣装布等の帯状縫製物の作製にも適用可能である。
【００１２】
【発明の実施の形態】
以下、本発明の実施の形態を図面に基づいて説明する。
図１は本発明に係る二重環縫いベルトループ作りミシン全体の構成を示す概略斜視図であり、この二重環縫いミシンＭは、針棒１の下端部に固定保持されているミシン針２、押え棒３の下端部に固定保持されている布押え４、針板５、送り歯及びルーパー（これらは周知であるため、図示省略する）等からなる縫製部Ａよりも縫製進行方向Ｙの手前位置に、ベルトループ作り用のメス機構Ｂがアタッチメントとして装備されているとともに、このメス機構Ｂで左右両縁部が切断されて所定の仕上がり幅に作製されたベルトループ用帯状布をその幅方向の両端部分を下方に折り込みながら上記縫製部Ａに向けて送り込み案内する樋状折込みガイドＣが上ベースカバー６上に固定設置され、さらに、メス機構Ａによる帯状布の切断及び切断後の帯状布の縫製部Ａへの送り込み案内を安定良く行なうための補助押え装置Ｄが設けられている。なお、メス機構Ｂで切断されたベルトループ用帯状布を縫製部Ａに向けて送るためり布送り歯が補助押え装置Ａに対応する位置に設けられているが、これは周知であるため、図示を省略する。
【００１３】
上記メス機構Ｂは、針棒中心の左右振り分け位置に配置されてメス土台７に装着された左右一対の下メス８，８とこの左右一対の下メス８，８の外面に弾性的に圧接される状態で上メス駆動シャフト１０の往復駆動回転に伴い下メス８，８に対して駆動昇降する左右一対の上メス９，９とから構成されており、これら左右一対の下メス８，８と左右一対の上メス９，９の協働により帯状布の左右両縁部を切断して所定仕上がり幅のベルトループ用帯状布を作製するように構成されている。なお、図１において、１１は上メス駆動シャフト１０の上方を覆うシャフトカバー、１２はメス土台７の全面を覆うメス台カバーである。
【００１４】
図２〜図５は上記補助押え装置Ｄの構成を示す。この補助押え装置Ｄは、ノックピン１３及びネジ１４を介してメス土台７に固定されるブラケット１５と、この固定ブラケット１５にブッシュ１６を介して回転可能に支承されたシャフト１７と、このシャフト１７の一端部にネジ１８止めされた補助押え連結腕１９の遊端部にピン２０を介して枢支され、かつ、補助バネ２１の弾性力によりピン２０軸心周りで下方に回転付勢された補助押え足２２と、この補助押え足２２の左右両側にネジ２３を介して帯状布の幅に応じて位置調整自在に取付けられた左右一対の補助布押え２４，２４と、上記シャフト１７の他端部にネジ２５を介して固定されたレバー支持部材２６と、このレバー支持部材２６に段ネジ２７及びナット２８により形成されるシャフト１７軸心に対して直交する軸心の周りで起立傾倒可能に枢支された回転操作レバー２９とにより構成されている。
【００１５】
上記回転操作レバー２９は、長い舌片部２９ａとこれに直角な短い起立傾倒操作片部２９ｂとを有する略Ｌ字形に形成されており、この回転操作レバー２９を長い舌片部２９ａが上方に突出する起立姿勢とし、その舌片部２９ａを掴んでシャフト１７をその軸心、つまり、縫製進行方向Ｙと直交する軸心周りに正逆回転操作することによって、補助押え足２２及び補助布押え２４，２４を帯状布がガイドＣの上面に弾性的に押圧されるように下降させた押え作用状態とガイドＣの上面から上方に持上げ離間させた非押え作用状態とに切換え可能に構成されている。
【００１６】
上記固定ブラケット１５には、シャフト１７をその軸心方向に離れた二箇所で回転可能に支承する二つの筒状軸受部１５ａ，１５ａが形成されており、この二つの筒状軸受部１５ａ，１５ａ間に、シャフト１７に固定されるバネカラー３０及び該バネカラー３０と一方の筒状軸受部１５ａとの間に介在されて上記補助押え足２２及び補助布押え２４，２４を押え作用状態に付勢するつる巻き状のバネ３１が組み込まれている。
【００１７】
また、上記固定ブラケット１５の他方の筒状軸受部１５ａの外周面には、補助押え足２２及び補助布押え２４，２４が非押え作用状態に切換えられるまでシャフト１７を回転操作したレバー２９を短い操作片部２９ｂが上方に突出するように起立姿勢から傾倒させたとき、該レバー２９の長い舌片部２９ａが嵌入し係合して補助押え足２２及び補助布押え２４，２４をバネ３１の付勢力に抗して非押え作用状態に固定保持可能な被係合用細幅溝３２が形成されている。
【００１８】
上記のように構成された補助押え装置Ｄを備えた二重環縫いベルトループ作りミシンによる通常の縫製動作時は、図６（Ａ），（Ｂ）及び図３に示すように、シャフト１７がバネ３１の付勢力で一方向に回転されて補助押え足２２及び補助布押え２４，２４（ここでは、補助布押えの図示を省略している）がガイドＣの上面側に下降して帯状布をガイドＣの上面に弾性的に押圧するといった所定の押え作用状態にある。この状態では、帯状布の幅方向両端部分がメス機構Ｂにより所定の仕上がり幅に切断された後、図示省略した布送り歯によりベルトループ用帯状布がガイドＣに誘導されてその幅方向の両端部分を下方に折り込みながら縫製部Ａに送り込み案内され、縫製部Ａにおいて所定のベルトループに縫製仕上げされる。
【００１９】
かかる通常の縫製動作の開始前に帯状布をセットする時は、補助押え足２２及び補助布押え２４，２４をガイドＣの上面から上方に持上げ離間させた非押え作用状態に切換えることが必要である。この非押え作用状態への切換えにあたっては、図７（Ａ），（Ｂ）に示すように、長い舌片部２９ａが起立姿勢にあるレバー２９の舌片部２９ａを手で掴んでシャフト１７をバネ３１の付勢力に抗して矢印ｘ方向に回転操作することにより、そのシャフト１７の回転に伴い上記補助押え足２２及び補助布押え２４，２４をガイドＣの上面から上方に持上げ離間させる。
【００２０】
そして、補助押え足２２及び補助布押え２４，２４がガイドＣ上面から上方に持上げ離間されて非押え作用状態に切換えられた時点で、図８（Ａ），（Ｂ），（Ｃ）に示すように、レバー２９の短い操作片部２９ｂを摘んで該レバー２９をボルト２７の軸心周りで矢印ｙ方向に回転傾倒させることにより、レバー２９の舌片部２９ａが固定ブラケット１５における一方の筒状軸受部１５ａの外周面に形成の細幅溝３２に嵌入し係合することになり、これによって、補助押え足２２及び補助布押え２４，２４がバネ３１の付勢力に抗してガイドＣ上面から上方に持上げ離間された非押え作用状態で固定保持され、帯状布を補助押え足２２及び補助布押え２４，２４下に容易にセットすることが可能となる。
【００２１】
上述したように、補助押え装置Ｄを縫製部Ａにおける布押え４とは独立分離させて別に設けることにより、縫製作業時に縫製部Ａの布押え４側で発生する振動が補助押え装置Ｄ側に直接に伝達されることをなくして、補助押え足２２及び補助布押え２４，２４による本来の押え機能を所定通りに発揮させることが可能であるとともに、補助押え足２２及び補助布押え２４，２４がガイドＣの上面に繰り返し衝突することに伴う騒音の発生も防止することが可能である。
【００２２】
その上、帯状布のセット時には、起立姿勢にあるレバー２９を掴んでシャフト１７を回転操作し、それに続いてレバー２９を起立姿勢から傾倒させて固定ブラケット１５の被係合用細幅溝３２に係合させるという簡単な手動操作を行なうだけで、補助押え足２２及び補助布押え２４，２４をガイドＣの上面から上方に持上げ離間された非押え作用状態に切換えるとともに、その非押え作用状態を安定よく固定保持させることが可能である。
【００２３】
なお、上記実施の形態では、固定ブラケット１５側にレバー２９に対する被係合部として、細幅溝３２を形成したもので説明したが、これに代えて、突起等のように、傾倒レバー２９の一部が係合する突出物を固定ブラケット１５側に設けてもよい。
【００２４】
【発明の効果】
以上要するに、本発明によれば、補助押えを縫製部における布押えとは独立分離して設けることにより、布セット時には補助押えを手動操作により非押え作用状態に簡単に切換えることができるものでありながら、縫製部の布押えの振動が直接に伝達されることに起因する押え機能の低下やガイド上面を激しき叩くことによる騒音発生等の不具合を防止することができる。しかも、縫製部の布押えとその手前に設置される補助押えとの間には、両者を一体連動させるための連結ロッドのような視界を遮るものが存在しないため、作業者は自然な体勢のままで縫製状況等を容易に視認することができるという効果を奏する。
【００２５】
特に、請求項２に記載のような構成を採用することによって、上記効果に加えて、振動等が加わる条件下での使用に際しても、補助押えを非押え作用状態に一層確実に固定保持することができるとともに、加工も簡単で、かつ、破損等もしにくく、耐久性に優れている。
【００２６】
また、請求項３に記載のように、補助押えを押え作用状態に付勢するバネを介在させることにより、レバーを被係合部から離脱させるべく起立姿勢に切換えるだけで、補助押えをバネの力によって自動的に押え作用状態に復帰させることが可能であり、手動による補助押えの切換え操作を一層簡単なものにすることができる。
【図面の簡単な説明】
【図１】本発明に係る二重環縫いベルトループ作りミシン全体の構成を示す概略斜視図である。
【図２】同上ミシンの要部である補助押え装置の構成を示す分解斜視図である。
【図３】同上補助押え装置の組付け構成を示す斜視図である。
【図４】同上補助押え装置の平面図である。
【図５】同上補助押え装置の正面図である。
【図６】図６（Ａ）は同上補助押え装置が通常の押え作用状態にある時の図４のＺ−Ｚ線に沿った断面図であり、図６（Ｂ）は同上補助押え装置が通常の押え作用状態にある時の側面図である。
【図７】図７（Ａ）は同上補助押え装置が非押え作用状態に切換え操作された時の図４のＺ−Ｚ線に沿った断面図であり、図７（Ｂ）は同上補助押え装置が非押え作用状態に切換え操作された時の側面図である。
【図８】図８（Ａ）は同上補助押え装置が非押え作用状態で固定保持された時の図４のＺ−Ｚ線に沿った断面図であり、図８（Ｂ）は同上補助押え装置が非押え作用状態で固定保持された時の側面図であり、図８（Ｃ）は同上補助押え装置が非押え作用状態で固定保持された時の斜視図である。
【図９】縫製対象とする帯状縫製物の代表例であるベルトループの使用状態を説明する斜視図である。
【図１０】ベルトループ自体の拡大図である。
【図１１】従来の二重環縫いベルトループ作りミシンにおける補助押え装置の構成を示す要部の斜視図である。
【符号の説明】
２  針
４  布押え
１５  固定ブラケット
１７  シャフト
２２  補助押え足（補助押えの一つ）
２４  補助布押え（補助押えの一つ）
２９  回転操作レバー
２９ａ  長い舌片部（レバーの一部）
３１  バネ
３２  細幅溝（被係合部の一例）
Ａ  縫製部
Ｂ  メス機構
Ｃ  カイド
Ｙ  縫製進行方向
【図１】
0003890255.tif 000002
【図２】
0003890255.tif 000003
【図３】
0003890255.tif 000004
【図４】
0003890255.tif 000005
【図５】
0003890255.tif 000006
【図６】
0003890255.tif 000007
【図７】
0003890255.tif 000008
【図８】
0003890255.tif 000009
【図９】
0003890255.tif 000010
【図１０】
0003890255.tif 000011
【図１１】
0003890255.tif 000012